(57)【特許請求の範囲】
【請求項１】
空気入りタイヤであって、
路面と接触するトレッド部と、
前記トレッド部をタイヤ幅方向の両側から挟むように設けられたサイドウォール部と、
前記サイドウォール部に接続され、前記サイドウォール部に対してタイヤ径方向内側に位置するビード部と、を備え、
前記サイドウォール部あるいは前記ビード部のタイヤ側面は、
前記表面の凹凸によって互いに識別可能に形成された２種類の濃淡要素でドットパターンが形成された二次元コードと、
前記二次元コードの外縁を、タイヤ径方向及びタイヤ周方向の少なくとも一方の両側から挟むように、タイヤ径方向及びタイヤ周方向のうち第１の方向の同じ位置に設けられ、かつ、タイヤ径方向及びタイヤ周方向のうち第２の方向の異なる位置に互いに分離して設けられた少なくとも２つの凸形状あるいは凹形状のマークと、を備える、ことを特徴とする空気入りタイヤ。
【請求項２】
前記マークは、前記マークから、大きさと向きと前記側面上の位置とが特定される四角形枠を定める目印であり、
前記二次元コードの外縁は、前記四角形枠内に、前記四角形枠と接することなく設けられている、請求項１に記載の空気入りタイヤ。
【請求項３】
前記外縁と前記四角形枠の間の前記表面の領域は、平滑面である、請求項２に記載の空気入りタイヤ。
【請求項４】
前記二次元コードは、前記二次元コードの前記外縁で囲まれた前記二次元コードの配置領域を格子状に分割した同一サイズの矩形形状の複数の単位セル領域に対応して、前記側面の凹凸のうち凹部それぞれが前記濃淡要素の濃い１つの単位セル領域を形成するように、前記凹部が配置された構成を有し、
前記二次元コードは、ＱＲコード（登録商標）であり、
前記配置領域と前記四角形枠の間の離間距離は、少なくとも前記単位セル領域のサイズの８倍以上に対応する距離である、請求項３に記載の空気入りタイヤ。
【請求項５】
前記二次元コードの前記外縁は矩形形状であり、前記二次元コードの前記外縁の少なくとも一辺は、前記四角形枠の一辺に平行になるように、前記二次元コードは設けられている、請求項２〜４のいずれか１項に記載の空気入りタイヤ。
【請求項６】
前記マークは、２つであり、
前記マーク間の距離が、前記四角形枠の一辺の長さであり、
前記マークの配列方向が、前記四角形の一辺に平行である、請求項２〜５のいずれか１項に記載の空気入りタイヤ。
【請求項７】
前記マークは、前記タイヤ径方向の同じ位置に設けられ、かつ、前記タイヤ周方向の異なる位置に設けられた一対のマークＡと、前記一対のマークＡの前記タイヤ径方向の位置と異なる位置であって、互いに前記タイヤ径方向の同じ位置に設けられ、かつ、前記タイヤ周方向の異なる位置に設けられた一対のマークＢとを含み、
前記四角形枠の頂点は、前記一対のマークＡ及び前記一対のマークＢの位置にある、請求項２〜５のいずれか１項に記載の空気入りタイヤ。
【請求項８】
空気入りタイヤのサイドウォール部あるいはビード部のタイヤ側面に二次元コードを刻印する前の未刻印空気入りタイヤを製造する金型であって、
前記未刻印空気入りタイヤの前記タイヤ側面と接触する金型の内表面は、
前記二次元コードを刻印するための平滑面を有する二次元コードの配置予定領域に対応する平滑面の対応配置予定領域の外縁をタイヤ径方向に対応する金型径方向あるいはタイヤ周方向に対応する金型周方向の両側から挟むように、金型径方向及び金型周方向のうち第３の方向の同じ位置に設けられ、かつ、金型径方向及び金型周方向のうち第４の方向の異なる位置に互いに分離して設けられた少なくとも２つの凹形状孔あるいは凸形状突起を備える、ことを特徴とする空気入りタイヤの金型。
【請求項９】
請求項１〜７のいずれか１項に記載の空気入りタイヤのタイヤ側面に刻印された二次元コードの刻印を検査する検査方法であって、
前記マーク及び前記二次元コードの画像を取得するステップと、
取得した前記画像から、前記画像上の画素の単位で表した前記マーク間の画像ベース距離を求めるステップと、
前記タイヤ側面上の前記マーク間の距離と前記画像ベース距離との情報から求まる前記画像上の１画素に対応する単位距離を用いて、前記タイヤ側面上の前記二次元コードの大きさ、前記表面上の前記二次元コードの配置領域の、前記マークから定まる二次元コードの配置予定領域に対する位置ずれ量、及び、前記表面上の前記二次元コードの配置領域の、前記二次元コードの配置予定領域に対する傾斜量の少なくとも１つを求めるステップと、
前記二次元コードの大きさ、前記位置ずれ量、及び前記傾斜量の少なくとも１つを、対応する規格寸法と比較することにより、前記二次元コードの刻印位置の良否を判定するステップと、
を有する、ことを特徴とする二次元コードの刻印を検査する検査方法。
【請求項１０】
前記規格寸法のうち、前記二次元コードの大きさは、前記表面の凹凸によって周囲の領域と識別可能に形成されたマーク、記号、あるいは数値によって表された、前記二次元コードの周囲に設けられた表示情報に含まれ、
前記表示情報の画像を取得して画像処理を行うことにより、前記二次元コードの大きさの情報を取得する、請求項９に記載の二次元コードの刻印を検査する検査方法。
【請求項１１】
路面と接触するトレッド部と、前記トレッド部をタイヤ幅方向の両側から挟むように設けられたサイドウォール部と、前記サイドウォール部に接続され、前記サイドウォール部に対してタイヤ径方向内側に位置にあるビード部と、を備えた空気入りタイヤのタイヤ側面に二次元コードを刻印して空気入りタイヤを製造する方法であって、
前記サイドウォール部あるいは前記ビード部のタイヤ側面は、前記二次元コードの配置予定領域の外縁をタイヤ径方向あるいはタイヤ周方向の両側から挟むように、タイヤ径方向及びタイヤ周方向のうち第１の方向の同じ位置に設けられ、かつ、タイヤ径方向及びタイヤ周方向のうち、第２の方向の異なる位置に互いに分離して設けられた少なくとも２つの凸形状あるいは凹形状のマークを備え、
前記タイヤ側面の画像から検出した前記画像上の前記マークの位置に基づいて、前記画像上の前記二次元コードの配置予定領域を決定するステップと、
決定した前記二次元コードの配置予定領域に基づいて前記タイヤ側面上の前記二次元コードの配置予定領域を特定し、特定した前記タイヤ側面上の前記二次元コードの配置予定領域に、レーザ光を照射することにより、前記タイヤ側面にドット孔を形成して前記二次元コードを刻印するステップと、を有することを特徴とする空気入りタイヤを製造する方法。
【発明の詳細な説明】
【技術分野】
【０００１】
本発明は、空気入りタイヤ、空気入りタイヤの金型、二次元コードの刻印の検査方法、及びタイヤを製造する方法に関する。具体的には、本発明は、タイヤ側面に二次元コードを備える空気入りタイヤ、この空気入りタイヤを製造する空気入りタイヤの金型、空気入りタイヤの二次元コードの刻印位置を検査する方法、及び二次元コードを刻印して空気入りタイヤを製造する方法に関する。
【背景技術】
【０００２】
近年、タイヤのタイヤ側面に、二次元コードを設けることが提案されている。二次元コードは、一次元コードに較べて多くの情報を含ませることができるので、種々の情報を二次元コードに含ませて、タイヤを管理することができる。特に、タイヤ側面に、所定のドット孔のパターンで刻印することで、タイヤ側面に二次元コードを設けることが提案されている（特許文献１）。【０００３】
タイヤ側面に、所定のドット孔のパターンで刻印することで形成した二次元コードは、タイヤ側面が摩耗しない限りは消滅しないので、タイヤの管理を有効に行うことができる。
【先行技術文献】
【特許文献】
【０００４】
【特許文献１】国際公開第２００５／０００７１４号
【発明の概要】
【発明が解決しようとする課題】
【０００５】
このような空気入りタイヤにドット孔を設けて二次元コードを刻印する際、空気入りタイヤと刻印装置の間で相対的な位置ずれが生じる場合がある。この位置ずれが生じると、二次元コードの刻印位置が所定の位置に対して位置ずれするので、二次元コードの読み取り装置で自動的に読み取ることができない場合が生じる。また、二次元コードは、目視で視認できる、目立つサイド模様でもあるため、刻印した二次元コードがタイヤ側面上の適切な位置にない、あるいは、適切な向きに向いていないなどの外見上の不具合が生じる場合もある。例えば、タイヤのサイドウォール面に形成した別のサイド模様、文字、記号、あるいは標章に干渉して外観不良となる。【０００６】
また、空気入りタイヤのサイズやサイドウォール面のサイド模様によっては、二次元コードを刻印することができる領域は制限される場合がある。このため、二次元コードの刻印位置は、空気入りタイヤのサイズやサイドウォール面のサイド模様に応じて変える場合もある。しかし、サイドウォール面を含むタイヤ側面上の適切な位置に、適切な方向に向けて、二次元コードを刻印する技術は知られていない。また、刻印した二次元コードが、タイヤ側面上の適切な位置に、適切な方向に向いて設けられているか否かを検査する技術も知られていない。
また、超偏平サイズの空気入りタイヤのサイドウォール面等のタイヤ側面には二次元コードを刻印する領域が著しく少ないため、二次元コードの大きさに関する目標寸法を、タイヤのサイズや偏平率に応じて変えることが望ましい。このため、刻印した二次元コードの大きさがタイヤのサイズや偏平率に応じて定まった目標寸法になっているか否かを検査することは好ましい。しかし、刻印した二次元コードの大きさが、目標寸法になっているか否かを検査する技術は知られていない。【０００７】
そこで、本発明は、二次元コードを、適切な位置にあるいは適切な方向に向けて刻印した空気入りタイヤを製造することができる空気入りタイヤの製造方法、空気入りタイヤに設けられた二次元コードの刻印を検査する検査方法、及び、適切な位置にあるいは適切な方向に設けられた二次元コードが刻印された空気入りタイヤ、この空気入りタイヤを製造するために用いる二次元コードが未刻印の空気入りタイヤの金型を提供することを目的とする。
【課題を解決するための手段】
【０００８】
本発明の一態様は、空気入りタイヤである。当該空気入りタイヤは、
路面と接触するトレッド部と、
前記トレッド部をタイヤ幅方向の両側から挟むように設けられたサイドウォール部と、
前記サイドウォール部に接続され、前記サイドウォール部に対してタイヤ径方向内側に位置するビード部と、を備える。
前記サイドウォール部あるいは前記ビード部のタイヤ側面部の表面は、
前記表面の凹凸によって互いに識別可能に形成された２種類の濃淡要素でドットパターンが形成された二次元コードと、
前記二次元コードの外縁を、タイヤ径方向及びタイヤ周方向の少なくとも一方の両側から挟むように、タイヤ径方向及びタイヤ周方向のうち第１の方向の同じ位置に設けられ、かつ、タイヤ径方向及びタイヤ周方向のうち第２の方向の異なる位置に互いに分離して設けられた少なくとも２つの凸形状あるいは凹形状のマークと、を備える。【０００９】
前記マークは、前記マークから、大きさと向きと前記側面上の位置とが特定される四角形枠を定める目印であり、
前記二次元コードの外縁は、前記四角形枠内に、前記四角形枠と接することなく設けられている、ことが好ましい。【００１０】
前記外縁と前記四角形枠の間の前記表面の領域は、平滑面である、ことが好ましい。【００１１】
前記二次元コードは、前記二次元コードの前記外縁で囲まれた前記二次元コードの配置領域を格子状に分割した同一サイズの矩形形状の複数の単位セル領域に対応して、前記側面の凹凸のうち凹部それぞれが前記濃淡要素の濃い１つの単位セル領域を形成するように、前記凹部が配置された構成を有し、
前記二次元コードは、ＱＲコード（登録商標）であり、
前記配置領域と前記四角形枠の間の離間距離は、少なくとも前記単位セル領域のサイズの８倍以上に対応する距離である、ことが好ましい。【００１２】
前記二次元コードの前記外縁は矩形形状であり、前記二次元コードの前記外縁の少なくとも一辺は、前記四角形枠の一辺に平行になるように、前記二次元コードは設けられている、ことが好ましい。【００１３】
前記マークは、２つであり、
前記マーク間の距離が、前記四角形枠の一辺の長さであり、
前記マークの配列方向が、前記四角形の一辺に平行である、ことが好ましい。【００１４】
前記マークは、前記タイヤ径方向の同じ位置に設けられ、かつ、前記タイヤ周方向の異なる位置に設けられた一対のマークＡと、前記一対のマークＡの前記タイヤ径方向の位置と異なる位置であって、互いに前記タイヤ径方向の同じ位置に設けられ、かつ、前記タイヤ周方向の異なる位置に設けられた一対のマークＢとを含み、
前記四角形枠の頂点は、前記一対のマークＡ及び前記一対のマークＢの位置にある、ことが好ましい。【００１５】
本発明の他の一態様は、空気入りタイヤのサイドウォール部あるいはビード部のタイヤ側面部の表面に二次元コードを刻印する前の未刻印空気入りタイヤを製造する金型である。
前記未刻印空気入りタイヤの前記タイヤ側面と接触する金型の内表面は、
前記二次元コードを刻印するための平滑面を有する二次元コードの配置予定領域に対応する平滑面の対応配置予定領域の外縁をタイヤ径方向に対応する金型径方向あるいはタイヤ周方向に対応する金型周方向の両側から挟むように、金型径方向及び金型周方向のうち第３の方向の同じ位置に設けられ、かつ、金型径方向及び金型周方向のうち第４の方向の異なる位置に互いに分離して設けられた少なくとも２つの凹形状孔あるいは凸形状突起を備える。【００１６】
本発明の他の一態様は、前記空気入りタイヤのタイヤ側面に刻印された二次元コードの刻印を検査する検査方法であって、
取得した前記画像から、前記画像上の画素の単位で表した前記マーク間の画像ベース距離を求めるステップと、
前記タイヤ側面上の前記マーク間の距離と前記画像ベース距離との情報から求まる前記画像上の１画素に対応する単位距離を用いて、前記タイヤ側面上の前記二次元コードの大きさ、前記表面上の前記二次元コードの配置領域の、前記マークから定まる二次元コードの配置予定領域に対する位置ずれ量、及び、前記表面上の前記二次元コードの配置領域の、前記二次元コードの配置予定領域に対する傾斜量の少なくとも１つを求めるステップと、
前記二次元コードの大きさ、前記位置ずれ量、及び前記傾斜量の少なくとも１つを、対応する規格寸法と比較することにより、前記二次元コードの刻印位置の良否を判定するステップと、を有する。【００１７】
前記規格寸法のうち、前記二次元コードの大きさは、前記表面の凹凸によって周囲の領域と識別可能に形成されたマーク、記号、あるいは数値によって表された、前記二次元コードの周囲に設けられた表示情報に含まれ、
前記表示情報の画像を取得して画像処理を行うことにより、前記二次元コードの大きさの情報を取得する、ことが好ましい。【００１８】
本発明のさらに他の一態様は、路面と接触するトレッド部と、前記トレッド部をタイヤ幅方向の両側から挟むように設けられたサイドウォール部と、前記サイドウォール部に接続され、前記サイドウォール部に対してタイヤ径方向内側に位置にあるビード部と、を備えた空気入りタイヤのタイヤ側面に二次元コードを刻印して空気入りタイヤを製造する方法である。
前記サイドウォール部あるいは前記ビード部のタイヤ側面は、前記二次元コードの配置予定領域の外縁をタイヤ径方向あるいはタイヤ周方向の両側から挟むように、タイヤ径方向及びタイヤ周方向のうち第１の方向の同じ位置に設けられ、かつ、タイヤ径方向及びタイヤ周方向のうち、第２の方向の異なる位置に互いに分離して設けられた少なくとも２つの凸形状あるいは凹形状のマークを備える。
当該製造方法は、
前記タイヤ側面の画像から検出した前記画像上の前記マークの位置に基づいて、前記画像上の前記二次元コードの配置予定領域を決定するステップと、
決定した前記二次元コードの配置予定領域に基づいて前記タイヤ側面上の前記二次元コードの配置予定領域を特定し、特定した前記タイヤ側面上の前記二次元コードの配置予定領域に、レーザ光を照射することにより、前記タイヤ側面にドット孔を形成して前記二次元コードを刻印するステップと、を有する。
【発明の効果】
【００１９】
上述の空気入りタイヤの金型及び空気入りタイヤを製造する方法によれば、二次元コードを、空気入りタイヤの適切な位置にあるいは適切な方向に刻印することができる空気入りタイヤを提供することができる。上述の空気入りタイヤによれば、空気入りタイヤは、適切な位置にあるいは適切な方向に向いて設けられた、目標寸法の大きさを有する二次元コードを備えることができる。また、上述の二次元コードの刻印を検査する検査方法によれば、空気入りタイヤに設けられた二次元コードの刻印の位置あるいは二次元コードの向きを検査することができ、さらに二次元コードの大きさが目標寸法になっているか否かを検査することができる。
【図面の簡単な説明】
【００２０】
【図１】一実施形態の空気入りタイヤの構成の一例を示す図である。
【図２】一実施形態の空気入りタイヤのサイドウォール部あるいはビード部のタイヤ側面の一部である、標章と二次元コードを含む領域の例を示す図である。
【図３】一実施形態のマークによって定まる四角形枠の位置と向きを説明する図である。
【図４】一実施形態の二次元コードの構成の一例を説明する図である。
【図５】（ａ）〜（ｇ）は、本実施形態のマークの他の形態の例を示す図である。
【図６】一実施形態で用いる金型の内表面の一例を説明する図である。
【図７】一実施形態のタイヤの製造方法において、未刻印タイヤのタイヤ側面に二次元コードを刻印する刻印装置を説明する図である。
【図８】一実施形態のタイヤの二次元コードの刻印の検査を行う検査装置の例を説明する図である。
【図９】（ａ），（ｂ）は、二次元コードの位置ずれ及び傾斜の例を説明する図である。
【図１０】（ａ），（ｂ）は、一実施形態で用いる表示情報の例を示す図である。
【発明を実施するための形態】
【００２１】
以下、実施形態の空気入りタイヤ、空気入りタイヤの金型、二次元コードの刻印を検査する検査方法、及び空気入りタイヤを製造する方法について詳細に説明する。
【００２２】
（定義）
本明細書において、タイヤ幅方向は、空気入りタイヤの回転軸と平行な方向である。タイヤ幅方向外側は、タイヤ幅方向において、タイヤ赤道面を表すタイヤセンターラインＣＬ（図１参照）から離れる側である。また、タイヤ幅方向内側は、タイヤ幅方向において、タイヤセンターラインＣＬに近づく側である。タイヤ周方向は、空気入りタイヤの回転軸を回転の中心として回転する方向である。タイヤ径方向は、空気入りタイヤの回転軸に直交する方向である。タイヤ径方向外側は、前記回転軸から離れる側をいう。また、タイヤ径方向内側は、前記回転軸に近づく側をいう。
【００２３】
本明細書で言う二次元コードは、横方向にしか情報を持たない一次元コード（バーコードに対し、二方向に情報を持つマトリックス表示方式のコードである。二次元コードとして、例えば、ＱＲコード（登録商標）、データマトリクス（登録商標）、Ｍａｘｉｃｏｄｅ、ＰＤＦ−４１７（登録商標）、１６Ｋコード（登録商標）、４９コード（登録商標）、Ａｚｔｅｃコード（登録商標）、ＳＰコード（登録商標）、ベリコード（登録商標）、及び、ＣＰコード（登録商標）を含む。
【００２４】
（空気入りタイヤ）
図１は、一実施形態の空気入りタイヤ１０（以降、単にタイヤ１０という）の構成の一例を示す図である。図２は、タイヤ１０のサイドウォール部あるいはビード部のタイヤ側面の、標章５０と二次元コード５２を含む領域の例を示す図である。
【００２５】
タイヤ１０は、トレッドパターンを有するトレッド部１０Ｔと、一対のビード部１０Ｂと、トレッド部１０Ｔの両側に設けられ、一対のビード部１０Ｂとトレッド部１０Ｔに接続される一対のサイドウォール部１０Ｓと、を備える。トレッド部１０Ｔは路面と接触する部分である。サイドウォール部１０Ｓは、トレッド部１０Ｔをタイヤ幅方向の両側から挟むように設けられた部分である。ビード部１０Ｂは、サイドウォール部１０Ｓに接続され、サイドウォール部１０Ｓに対してタイヤ径方向内側に位置する部分である。
【００２６】
タイヤ１０は、骨格材として、カーカスプライ１２と、ベルト１４と、ビードコア１６と、を有し、これらの骨格材の周りに、トレッドゴム部材１８と、サイドゴム部材２０と、ビードフィラーゴム部材２２と、リムクッションゴム部材２４と、インナーライナゴム部材２６と、を主に有する。
【００２７】
カーカスプライ１２は、一対の円環状のビードコア１６の間を巻きまわしてトロイダル形状を成した、有機繊維をゴムで被覆したカーカスプライ材で構成されている。カーカスプライ１２は、ビードコア１６の周りに巻きまわされてタイヤ径方向外側に延びている。カーカスプライ１２のタイヤ径方向外側に２枚のベルト材１４ａ，１４ｂで構成されるベルト１４が設けられている。ベルト１４は、タイヤ周方向に対して、所定の角度、例えば２０〜３０度傾斜して配されたスチールコードにゴムを被覆した部材で構成され、下層のベルト材１４ａのタイヤ幅方向の幅は上層のベルト材１４ｂのタイヤ幅方向の幅に比べて長い。２層のベルト材１４ａ，１４ｂのスチールコードの傾斜方向は互いに逆方向である。このため、ベルト材１４ａ，１４ｂは、交錯層となっており、充填された空気圧によるカーカスプライ１２の膨張を抑制する。
【００２８】
ベルト１４のタイヤ径方向外側には、トレッドゴム部材１８が設けられ、トレッドゴム部材１８の両端部には、サイドゴム部材２０が接続されてサイドウォール部１０Ｓを形成している。サイドゴム部材２０のタイヤ径方向内側の端には、リムクッションゴム部材２４が設けられ、タイヤ１０を装着するリムと接触する。ビードコア１６のタイヤ径方向外側には、ビードコア１６の周りに巻きまわす前のカーカスプライ１２の部分と、ビードコア１６の周りに巻きまわした後のカーカスプライ１２の部分との間に挟まれるようにビードフィラーゴム部材２２が設けられている。タイヤ１０とリムとで囲まれる空気を充填するタイヤ空洞領域に面するタイヤ１０の内表面には、インナーライナゴム部材２６が設けられている。
この他に、ベルト材１４ｂとトレッドゴム部材１８との間には、ベルト１４のタイヤ径方向外側からベルト１４を覆う、有機繊維をゴムで被覆した２層のベルトカバー３０を備える。
【００２９】
（タイヤ側面）
図２は、タイヤ１０のサイドウォール部１０Ｓあるいはビード部１０Ｂのタイヤ側面１１の一部である、標章５０と二次元コード６０を含む領域の例を示す図である。標章５０は、“Ｙ”を変形した文字あるいは符号と“ＹＯＫＯＨＡＭＡ”の文字を組み合わせた登録商標である。標章５０は、タイヤ１０の製造メーカとして見る者に容易に視認できるように設けられている。標章５０のタイヤ周方向Ｃの横に、二次元コード６０が設けられている。二次元コード６０の四隅の外側には、マーク５２が設けられている。マーク５２は、その周囲のタイヤ側面１１に対して、タイヤ側面１１の法線方向に突出した凸形状を成している。マーク５２は、凸形状であるが、一実施形態によれば、周囲のタイヤ側面１１に対して、タイヤ側面１１の法線方向に凹んだ凹形状である。このような凸形状あるいは凹形状のマーク５２は、見る者に対して視認可能であり、タイヤ側面１１を撮像した画像においても、画像処理によりマーク５２の位置及び形状を抽出できる程度に寸法（マーク５２の大きさ、突出高さあるいは凹み深さ）を有する。マーク５２の大きさは、例えば、０．２５ｍｍ２〜１００．０ｍｍ２の面積の円形状、矩形形状、あるいは、特定の形状を成している。マーク５２ｂの突出高さあるいは凹み深さは、例えば０．３ｍｍ〜５．０ｍｍである。
【００３０】
マーク５２の少なくとも２つは、二次元コード６０の外縁を、タイヤ径方向Ｒ及びタイヤ周方向Ｃの両側から挟むように、タイヤ径方向Ｒ及びタイヤ周方向Ｃのうち第１の方向の同じ位置に設けられ、かつ、タイヤ径方向Ｒ及びタイヤ周方向Ｃのうち第２の方向の異なる位置に互いに分離して設けられている。一実施形態によれば、４つのマーク５２の中心位置を直線で結ぶ形状は四角形形状であり、矩形形状あるいは略矩形形状であることが好ましく、この四角形形状の中に二次元コード６０が設けられている。以降、矩形形状あるいは略矩形形状を纏めて矩形形状という。すなわち、この矩形形状は、マーク５２から、大きさと向きとタイヤ側面１１の表面上の位置とが特定される、後述する矩形枠（四角形枠）５４である。
４つのマーク５２は、例えば、タイヤ径方向Ｒの同じ位置に設けられ、かつ、タイヤ周方向Ｃの異なる位置に設けられた一対のマーク（マークＡ）と、この一対のマークのタイヤ径方向Ｒの位置とは異なる位置で、互いにタイヤ径方向Ｒの同じ位置に設けられ、かつ、タイヤ周方向Ｃの異なる位置に設けられた一対のマーク（マークＢ）とを含む。
このようなマーク５２は、二次元コード６０を、未刻印のタイヤのタイヤ側面１１に刻印する際、適切な位置に、適切な向きに向けて刻印するための位置合わせのための目印とすることができる。
また、マーク５２は、タイヤ１０に刻印された二次元コード６０が適切な位置に、適切な向きに向けて刻印されているか、さらには、二次元コード６０の大きさが目標寸法になっているか否かを検査する際の目印として用いることができる。二次元コードの検査及び刻印については、後述する。
【００３１】
一実施形態によれば、マーク５２は、マーク５２から、大きさと向きとタイヤ側面１１の表面上の位置とが特定される矩形枠（四角形枠）５４（図３参照）を定める目印であり、二次元コード６０の外縁は、矩形枠５４内に、矩形枠５４と接することなく設けられていることが好ましい。すなわち、二次元コード６０は、矩形枠５４の内部に設けられることが好ましい。また、言い換えると、マーク５２の中心位置を直線で結んで作られる形状が四角形形状、例えば矩形形状あるいは略矩形形状であって、この四角形形状の枠の内側に二次元コード６０が設けられるように、マーク５２間の距離と位置が定められていることが好ましい。二次元コード６０の刻印を検査する場合や二次元コード６０を読み取る場合、この矩形枠５４の内部を探せば確実に二次元コード６０を抽出することができる。図３は、矩形枠５４の位置と向きを説明する図である。
特に、二次元コード６０の外縁と矩形枠５４の間のタイヤ側面１１の表面の領域は、リッジや表面凹凸のない平滑面５６であることが好ましい。矩形枠５４の外側に、サイド模様や標章の表示のためのリッジ状の凹凸があっても、二次元コード６０の表面凹凸を計測して二次元コード６０の情報を読み取る場合において、サイド模様を構成するリッジが矩形枠５４に接する程度に近接して設けられても、平滑面５６によってリッジと二次元コード６０の表面凹凸との区別が容易につくので、二次元コード６０を特定して読み取ることが容易にできる。この平滑面５６における表面粗さ（算術平均粗さＲａ：ＪＩＳ  Ｂ０６０１  ２００１）は、２５μｍ以下であり、好ましくは２〜１０μｍである。この表面粗さ（算術平均粗さＲａ）は、矩形枠５４の周りにある平滑面の表面粗さに比べて小さいことが好ましい。
【００３２】
一実施形態によれば、タイヤ側面１１に刻印される二次元コード６０は、二次元コード６０の単位セルＣｅｌｌのうち濃領域（図４参照）の単位セル領域Ｃｅｌｌを表すドットに１つのドット孔（凹部）が設けられて構成されている。二次元コード６０は、図４に示すように、二次元コード６０の外縁で囲まれた二次元コード６０の配置領域を格子状に分割した同一サイズの矩形形状の複数の単位セル領域Ｃｅｌｌに対応して、表面の凹凸のうちドット孔（凹部）それぞれが濃淡要素の濃い１つの単位セル領域Ｃｅｌｌ（濃領域）を形成するように、ドット孔（凹部）が配置された構成を有する。例えば、１つの濃領域に１つのドット孔が形成される。図４は、二次元コード６０の構成の一例を説明する図である。図４中、濃領域は、黒く塗りつぶされた領域で示されている。
この場合、一実施形態によれば、二次元コード６０の配置領域と矩形枠５４との間の離間距離Ｌ１〜Ｌ４（Ｌ１〜Ｌ４は、矩形枠５４と二次元コード６０の配置領域の外縁の対向する辺の最大の離間距離）は、少なくとも単位セル領域ＣｅｌｌのサイズＳｉｚｅ（図４参照）の８倍以上に対応する距離であることが好ましい。ここで、単位セル領域ＣｅｌｌのサイズＳｉｚｅとは、単位セル領域Ｃｅｌｌが正方形形状である場合は、正方形形状の一辺の長さであり、長方形形状である場合は、長方形形状の長辺の長さである。離間距離Ｌ１〜Ｌ４は、サイズＳｉｚｅ（図４参照）の２０倍以下に対応する距離であることが好ましい。離間距離Ｌ１〜Ｌ４を上述のように規定することにより、二次元コード６０の配置領域（矩形形状）の頂点の位置が、配置予定領域の頂点の位置に対してずれていても、矩形枠５４からはずれることがなく、二次元コード６０の表面凹凸を計測して二次元コード６０の情報を読み取る場合においても確実に、矩形枠５４の周囲に設けられたリッジの凹凸と区別して二次元コード６０を特定して容易に読み取ることができる。
また、二次元コード６０の外縁は矩形形状であり、二次元コード６０の外縁の辺は、矩形枠５４の辺に平行になるように、二次元コード６０は設けられることが好ましい。
【００３３】
マーク５２の代わりに、矩形枠５４のように二次元コード６０を一周囲む形態の場合、タイヤのサイド模様として矩形枠が目立ち、サイドデザインの点で好ましくない他、矩形枠の凹凸から矩形枠の各辺の幅の中心を見出し難いため、二次元コード６０の位置ずれの量や向きの傾斜量を正確に求めることは難い。このため、４つのマーク５２は、二次元コード６０の配置領域をタイヤ周方向Ｃ及びタイヤ径方向Ｒの両側から挟むように、タイヤ周方向Ｃあるいはタイヤ径方向Ｒに離間したマークとなっている。
【００３４】
図５（ａ）〜（ｇ）は、マーク５２の別の形態の例を示す図である。これらのマーク５２によって、大きさと向きと位置とが特定される矩形枠５４を定めることができる。
各マーク５２の形状は、矩形形状、円形状、それ以外の形状であってもよい。
図５（ａ），（ｂ）に示すように、マーク５２は２つであってもよく、２つのマーク５２の中心位置を結んだ線分を一辺とする正方形形状の矩形枠５４を定めることができる。タイヤ周方向Ｃの同じ位置にマーク５２がある場合、マーク５２に対して、タイヤ周方向の一方の側（図５（ａ）に示す例では、右側）に矩形枠５４が設定され、タイヤ径方向Ｒの同じ位置にマーク５２がある場合、マーク５２に対して、タイヤ径方向の一方の側（図５（ｂ）に示す例では、上側）に矩形枠５４が設定されるように予め決めておく。
また、図５（ｃ）,（ｄ）に示すように、４つまたは２つのマーク５２の中心位置のそれぞれが一辺の中心点となる、正方形形状の矩形枠５４を定めることができる。図５（ｄ）に示す２つのマーク５２の場合、マーク５２の中心位置が、対向する二辺それぞれの中心点となる、正方形形状の矩形枠５４を定めることができる。
矩形枠５４が、４辺全て同じ長さである正方形形状である場合、２つのマーク５２間の距離により、正方形形状の矩形枠５４を一義的に定めることはできるが、矩形枠５４が長方形状の場合、２つのマーク５２により、直方形状の矩形枠５４を一義的に定めることはできない。このため、以下のような取り決めを予め設けておくことが好ましい。例えば、２つのマーク５２間の線分は、定めようとする矩形枠５４の長方形状の長辺（あるいは短辺）に平行であり、長辺（あるいは短辺）の長さがこの線分の長さに対応し、一方、短辺（あるいは長辺）の長さは、長辺（あるいは短辺）の長さに一定の倍率を掛け算した長さに対応するといった取り決めを設けることが好ましい。これにより、２つのマーク５２により長方形状の矩形枠５４も定めることができる。
さらに、各マーク５２の形状は、図５（ｅ）に示すＬ型に屈曲した屈曲形状（マーク５２の屈曲部の屈曲点に矩形枠５４の１つの頂点がくるように定める）、図５（ｆ）に示す三角形状（マーク５２の三角形状の１つの頂点に矩形枠５４の１つの頂点がくるように定める）、あるいは、図５（ｇ）に示す星型形状（マーク５２の中心位置に矩形枠５４の１つの頂点がくるように定める）としてもよい。
【００３５】
このように、マーク５２が２つの場合、一実施形態によれば、マーク５２間の距離が、矩形枠５４の一辺の長さであり、マーク５２の配列方向が、矩形枠５４の一辺に平行であることが好ましい。
また、マーク５２は、一対のマーク５２を２対含む、すなわち、４つである場合、一実施形態によれば、矩形枠５４の頂点は、マーク５２の位置、例えば中心位置にあることが好ましい。
【００３６】
本実施形態でタイヤ側面１１に刻印される二次元コード６０は、二次元コード６０の単位セル領域Ｃｅｌｌのうち濃領域の単位セル領域Ｃｅｌｌを表すドットに１つの凹部（ドット孔）が設けられて構成されている。
【００３７】
（金型）
このようなタイヤ１０は、未刻印タイヤを加硫によって作製した後、二次元コード６０を所定の位置に適正な向きに向いた二次元コード６０を刻印する。
このような未刻印タイヤを製造するタイヤ金型の一実施形態を、図６に示す。図６は、一実施形態の金型の内表面の一例を説明する図である。
図６に示すように、未刻印タイヤのタイヤ側面と接触する金型の内表面１１１は、標章５０に対応した対応標章領域１５０と、４つの凹形状孔の対応マーク領域１５２と、を備える。さらに、内表面１１１は、二次元コード６０を刻印するための平滑面５６を有する二次元コードの配置予定領域に対応する平滑面の対応配置予定領域１５６を備える。対応マーク領域１５２は、対応配置予定領域１５６の外縁を、金型径方向ＭＲあるいは金型周方向ＭＣの両側から挟むように、金型径方向ＭＲ及び金型周方向ＭＣのうち第３の方向の同じ位置に設けられ、かつ、金型径方向ＭＲ及び金型周方向ＭＣのうち第４の方向の異なる位置に互いに分離して設けられる。金型径方向ＭＲはタイヤ径方向Ｒに対応する方向であり、金型周方向ＭＣは、タイヤ周方向Ｃに対応する方向である。
他の一実施形態によれば、内表面１１１は、４つの対応マーク領域１５２の代わりに、２つの凸形状の対応マーク領域１５２を備えることも好ましい。
他の一実施形態によれば、内表面１１１は、２つあるいは４つの凹形状孔である対応マーク領域１５２の代わりに、２つあるいは４つの凸形状突起の対応マーク領域を備えることも好ましい。
このような金型を用いて、二次元コード６０の配置予定領域が平滑面となっている、二次元コード６０が未刻印の未刻印タイヤを加硫によって作製することができる。
【００３８】
（二次元コードの刻印）
図７は、未刻印タイヤ１１０のタイヤ側面１１２に二次元コード６０を刻印する刻印装置７０を模式的に説明する図である。
刻印装置７０は、レーザ照射ユニット７２と、刻印制御ユニット７４と、を備える。刻印装置７０は、レーザ光の照射のオン／オフを行って、刻印しようとする二次元コード６０のドットパターンの単位セル領域Ｃｅｌｌの濃領域に対応する部分に１つのドット孔を形成することにより、所望のドットパターンのドット孔を形成させる装置である。したがって、レーザ光の照射によってタイヤ側面１１のゴムが熔融し揮発する程度に高エネルギ密度のレーザ光がタイヤ側面１１に点状に照射される。レーザ光によるドット孔の形成は、レーザ照射ユニット７２から照射するレーザ光のタイヤ側面１１上の照射位置をタイヤ径方向Ｒ及びタイヤ周方向Ｃにタイヤ１０に対して相対的に移動させながら行う。
レーザ照射ユニット７２は、さらに、タイヤ側面１１の画像を撮像するセンサを含む。撮像した画像は、刻印制御ユニット７４で画像処理が施されるように構成される。刻印制御ユニット７４は、さらに、撮像した画像から、この画像中のマーク５２の位置を特定し、このマーク５２の位置に基づいて、二次元コード６０を刻印する二次元コード６０の配置予定領域を、平滑面５６上に決定する。二次元コード６０の配置予定領域は、マーク５２から定まる矩形枠５４の４つの頂点の位置から所定の距離離れた４つの位置を、矩形形状の４つの頂点の位置とするように、決定される。マーク５２の位置を特定する方法は、タイヤ側面１１の撮像画像を画像処理して行う方法に限定されない。一実施形態によれば、タイヤ側面１１の表面凹凸を計測し、この表面凹凸のデータを画像化した表面凹凸画像から、刻印制御ユニット７４が凸形状あるいは凹形状のマーク５２の位置を特定することも好ましい。あるいは、作業者がモニターで確認できる画像中のマーク５２の位置に基づいて、二次元コード６０を刻印する二次元コード６０の配置予定領域を、平滑面５６上に決定しても構わない。
【００３９】
このため、二次元コード６０を刻印してタイヤ１０を製造する際、
（１）刻印制御ユニット７４は、マーク５２を含むタイヤ側面１１の画像から検出した画像上のマーク５２の位置に基づいて、画像上の二次元コード６０の配置予定領域を決定する。
（２）次に、刻印制御ユニット７４は、決定した画像上の二次元コード６０の配置予定領域に基づいてタイヤ側面１１の表面上の二次元コード６０の配置予定領域を特定し、特定したタイヤ側面１１の表面上の二次元コード６０の配置予定領域に、レーザ照射ユニット７２からレーザ光を照射させることにより、タイヤ側面１１の表面にドット孔を形成して二次元コード６０を刻印する。タイヤ側面１１の表面上の二次元コード６０の配置予定領域を特定する場合、マーク５２を目印として配置予定領域を特定することができる。
【００４０】
レーザ光を用いてタイヤ側面１１のタイヤ径方向Ｒの異なる位置にドット孔を形成するとき、レーザ光を傾斜させてタイヤ側面１１上を移動させる。しかも、タイヤ側面１１は、タイヤ幅方向外側に凸状に湾曲した湾曲形状であるため、上記レーザ光の傾斜と、タイヤ側面１１の湾曲形状が相乗的に作用して、ドット孔のサイズが異なり、二次元コード５０のタイヤ径方向Ｒに沿った単位セル領域Ｃｅｌｌの長さが変化する。すなわち、刻印した二次元コード６０ではタイヤ径方向Ｒに歪みが生じ易い。このような歪は二次元コード６０の読み取りの際に、誤った読み取り結果を引き起こし易い。したがって、誤った読み取りを抑制するために上記歪を小さくすることが好ましい。したがって、タイヤ１０のサイズや偏平率によってタイヤ側面１１の湾曲形状の湾曲の程度は異なるため、歪の少ない二次コード６０を実現する配置予定領域は予め定められる。このような配置予定領域に二次元マーク６０が設けられるように、マーク５２の位置は定められる。このため、二次元コード６０は、マーク５２に基づいて定まる配置予定領域に精度良く刻印される
ことが好ましい。
刻印制御ユニット７４が、マーク５２に基づいて定まる配置予定領域に、湾曲形状の影響を抑えるように補正しながら二次元コード６０を刻印したとしても、タイヤ１０は弾性体であるのでタイヤ１０のサイド部の湾曲形状が変化し、あるいはタイヤ１０をハンドリングする位置決め装置などの誤差によって、刻印制御ユニット７４が実際に刻印した位置は配置予定領域からずれ易い。
このため、二次元コード６０が刻印されたタイヤ１０において、二次元コード６０の刻印を検査することが望まれる。
【００４１】
（二次元コードの検査）
図８は、タイヤ１０のタイヤ側面１１に刻印された二次元コード６０の刻印を検査する検査装置８０の例を模式的に説明する図である。
検査装置８０は、計測ユニット８２と検査制御ユニット８４とを備える。計測ユニット８２は、二次元コード６０及びマーク５２を撮像する撮像素子を備え、撮像した画像を検査制御ユニット８４に送る。検査制御ユニット８４は、撮像した画像を画像処理し、刻印された二次元コード６０の位置及び向きを求め、さらに、マーク５２の中心の位置を求める。これらの情報を用いて、検査制御ユニット８４は、二次元コード６０の大きさ、マーク５２に対する位置ずれ量、及びマーク５２に対する傾斜量を求めることにより、二次元コード６０の刻印の良否を判定する。
【００４２】
なお、検査装置８０は、二次元コード６０及びマーク５２の計測を撮像することにより行う形態であるが、これに限定されない。一実施形態によれば、撮像素子を用いた二次元コード６０及びマーク５２の撮像の代わりに、二次元コード６０及びマーク５２の表面凹凸の形状計測を行うことも好ましい。この場合、検査制御部８４は、形状計測によって得られる形状計測データから、二次元コード６０及びマーク５２の凹凸を画素値で表した画像を用いて、二次元コード６０の大きさ、マーク５２に対する位置ずれ量、及びマーク５２に対する傾斜量を求める。
【００４３】
このような検査装置８０を用いて、二次元コード６０の刻印を検査する際、
（１）計測ユニット８２が、マーク５２及び二次元コード６０の画像を取得する。
（２）検査制御ユニット８４は、取得した画像から、画像上の画素の単位で表したマーク５２間の画像ベース距離（図３に示すＰ１〜Ｐ４）を求める。
（３）さらに、検査制御ユニット８４は、タイヤ側面１１上のマーク５２間の既知の距離と画像ベース距離との情報から画像上の１画素に対応する単位距離を求める。検査制御ユニット８４は、この単位距離を用いて、画像上の二次元コード６０の寸法（画素単位の寸法）から、タイヤ側面１１上の二次元コード６０の大きさ、タイヤ側面１１の表面上の二次元コード６０の配置領域の、マーク５２から定まる二次元コード６０の配置予定領域に対する位置ずれ量、及び、タイヤ側面１１の表面上の二次元コード６０の配置領域の、二次元コード６０の配置予定領域に対する傾斜量を求める。
（４）検査制御ユニット８４は、二次元コード６０の大きさ、位置ずれ量、及び傾斜量を、対応する規格寸法と比較することにより、二次元マコード６０の刻印位置の良否を判定する。
【００４４】
図９（ａ），（ｂ）は、二次元コード６０の位置ずれ及び傾斜の例を説明する図である。
図９（ａ）に示すように、検査制御ユニット８４は、二次元コード６０の外縁に接する４つの直線Ｌｉｎｅ１〜４を画像処理によって求める。さらに、検査制御ユニット８４は、この４つの直線Ｌｉｎｅ１〜４の交点を計算し、交点Ｃ１〜Ｃ４の画像上の座標を求める。図示される例では、交点Ｃ１の座標は（ｘ１,ｙ１）であり、交点Ｃ２の座標は（ｘ２,ｙ２）であり、交点Ｃ３の座標は（ｘ３,ｙ３）であり、交点Ｃ４の座標は（ｘ４,ｙ４）である。一方、検査制御ユニット８４は、画像上のマーク５２それぞれの中心の位置座標を求め、この座標を用いて、画像上の矩形枠５４の４つの辺を表す４つの直線を求める。したがって、図９（ｂ）に示すように、交点Ｃ１〜Ｃ４の、矩形枠５４の各辺からの距離ｄｘ１〜ｄｘ４，ｄｙ１〜ｄｙ４を求めることができる。
【００４５】
検査制御ユニット８４は、距離ｄｘ１〜ｄｘ４，ｄｙ１〜ｄｙ４のそれぞれに、上述した画像上の１画素に対応する単位距離を乗算し、乗算した結果から予め定めた値αを減算した量を、タイヤ側面１１上の二次元コード６０の配置領域の、二次元コード６０の配置予定領域に対する位置ずれ量として求める。予め定めた値αとは、二次元コード６０の矩形形状の配置領域が、二次元コード６０の配置予定領域に対して位置ずれがないときの理想的な配置状態における、矩形枠５４の頂点と二次元コード６０の配置領域の対応する頂点との間の２方向の距離である。配置領域の頂点のそれぞれに対して位置ずれ量が求められるが、位置ずれ量のうち最大位置ずれ量を位置ずれ量として扱う。したがって、タイヤ側面１１上の配置予定領域とは、マーク５２から定まる矩形枠５２の４つの頂点の位置座標から予め定めた値αを差し引いた位置座標を持つ４つの位置を頂点とする矩形形状の領域が、二次元コード６０の配置予定領域となる。検査制御ユニット８４は、二次元コード６０の位置ずれ量と、対応する規格寸法とを比較して、位置ずれ量の良否を判定する。
また、検査制御ユニット８４は、距離ｄｘ１と距離ｄｘ２の差分、距離ｄｘ１と距離ｄｘ３の差分、距離ｄｘ２と距離ｄｘ４の差分、あるいは距離ｄｘ３と距離ｄｘ４の差分に、上述した画像上の１画素に対応する単位距離を乗算した積を、タイヤ側面１１上における二次元コード６０の傾斜量として求める。検査制御ユニット８４は、この傾斜量と対応する規格寸法とを比較して、傾斜量の良否を判定する。さらに、画像上の交点Ｃ１と交点Ｃ２の間の距離、交点Ｃ１と交点Ｃ３の間の距離、交点Ｃ２と交点Ｃ４の間の距離、あるいは交点Ｃ３と交点Ｃ４の間の距離に上述した画像上の１画素に対応する単位距離を乗算した積を、タイヤ側面１１上における二次元コード６０の大きさとして求める。検査制御ユニット８４は、この大きさと、対応する規格寸法とを比較して、二次元コード６０の大きさの良否を判定する。
【００４６】
検査制御ユニット８４は、二次元コード６０の大きさ、位置ずれ量、及び傾斜量のいずれも、対応する規格寸法に対して許容範囲内で一致すると判定した場合、二次元コード６０の刻印は合格と判定する。
なお、上述の実施形態では、二次元コード６０の大きさ、位置ずれ量、及び傾斜量を検査するが、一実施形態によれば、二次元コード６０の大きさ、位置ずれ量、及び傾斜量の少なくとも１つを検査対象とすることも好ましい。
【００４７】
一実施形態によれば、二次元コード６０の大きさの情報は、タイヤ側面１１の凹凸によって周囲の領域と識別可能に形成されたマーク、記号、あるいは数値によって表された表示情報に含まれてもよい。この表示情報は、二次元コード６０の周囲に設けられることが好ましい。計測ユニット８２は、表示情報を、二次元コード６０及びマーク５２を計測するときに同時に計測し、検査制御ユニット８４が計測によって得た表示情報の画像を画像処理することにより、二次元コード６０の大きさの情報を取得してもよい。この情報は、大きさに関する規格寸法となる。
図１０（ａ），（ｂ）には、上記表示情報５８の例を示す図である。図１０（ａ）に示すように、大きさを表す数字を直接表示してもよい。図１０（ａ）中の表示情報５８である“１６８”は、大きさ１６．８ｍｍを意味する。また図１０（ｂ）に示すように、表示情報５８は１次元コードで表示されてもよい。１次元コードは、一実施形態によれば、二次元コード６０と同様に、刻印により設けられることが好ましい。
【００４８】
上述の実施形態では、未刻印のタイヤのタイヤ側面１１に、凹形状あるいは凸形状のマーク５２が設けられる。このマーク５２は、二次元コード６０の配置予定領域の外縁を、タイヤ径方向Ｒ及びタイヤ周方向Ｃの少なくとも一方の両側から挟むように、タイヤ径方向Ｒ及びタイヤ周方向Ｃのうち第１の方向の同じ位置に設けられ、かつ、タイヤ径方向Ｒ及びタイヤ周方向Ｃのうち第２の方向の異なる位置に互いに分離して設けられている。このため、二次元コード６０を適切な位置に、あるいは適切な方向に向けて刻印することが容易にできる。すなわち、上述の実施形態は、適切な位置にあるいは適切な方向に刻印された二次元コードを備える空気入りタイヤを提供することができる。
さらに、タイヤ１０には、タイヤ側面１１に二次元コード６０と上記マーク５２が設けられるので、二次元コード６０が適切な位置にあるか、適切な方向に向けて刻印されているか、さらに二次元コード６０の大きさは目標寸法になっているか否かを検査することが容易にできる。
【００４９】
以上、本発明の空気入りタイヤ、空気入りタイヤの金型、二次元コードの刻印を検査する検査方法、及び空気入りタイヤを製造する方法について詳細に説明したが、本発明は上記実施形態に限定されず、本発明の主旨を逸脱しない範囲において、種々の改良や変更してもよいのはもちろんである。
【符号の説明】
【００５０】
１０  空気入りタイヤ
１１，１１２  タイヤ側面
１２  カーカスプライ
１４  ベルト
１４ａ，１４ｂ  ベルト材
１６  ビードコア
１８  トレッドゴム部材
２０  サイドゴム部材
２２  ビードフィラーゴム部材
２４  リムクッションゴム部材
２６  インナーライナゴム部材
３０  ベルトカバー
５０  標章
５２  マーク
５４  矩形枠
５６  平滑面
５８  表示情報
６０  二次元コード
７０  刻印装置
７２  レーザ照射ユニット
７４  刻印制御ユニット
８０  検査装置
８２  計測ユニット
８４  検査制御ユニット
１１０  未刻印タイヤ
１１１  内表面
１５０  対応標章領域
１５２  対応マーク領域
１５６  対応配置予定領域
【図１】
0006562152.tif 000002
【図２】
0006562152.tif 000003
【図３】
0006562152.tif 000004
【図４】
0006562152.tif 000005
【図５】
0006562152.tif 000006
【図６】
0006562152.tif 000007
【図７】
0006562152.tif 000008
【図８】
0006562152.tif 000009
【図９】
0006562152.tif 000010
【図１０】
0006562152.tif 000011